(57)【要約】      （修正有）【課題】安価な下振り（さげぶり）方式の水準器でありながら、精度の高い測定が可能であり、また、下振り部材の動作もスムースで、長期の使用に耐える下振り水準器を提供する。【解決手段】パチンコ機の外枠を、島設備に対して所定の後傾角度で設置するための下振り水準器。外枠の前面に接当可能な接当面を有する筒状本体と、該筒状本体２０の内部に設けられる下振り部材２１とから成る。下振り部材２１の上部近傍に設けた枢支軸２２が一対のベアリング２３に軸支され、該ベアリング２３は、前記筒状本体の内部に保持され、前記下振り部材２１の下端部２１Ａに対応する位置の前記筒状部材２０には窓部が設けられ、前記窓部には、前記下振り部材２１の下端部２１Ａが示す目盛り表示部２７が設けられている。【選択図】図２
0003146115.tif 000002
【実用新案登録請求の範囲】
【請求項１】
パチンコ機の外枠１を、島設備に対して所定の後傾角度で設置するための下振り水準器であって、
前記外枠１の前面１Ａに接当可能な接当面２０Ａを有する横断面略矩形の金属性の筒状本体２０と、該筒状本体２０の内部に設けられる下振り部材２１とから成り、
前記下振り部材２１の上部近傍に設けた枢支軸２２が一対のベアリング２３、２３に軸支されており、
該ベアリング２３、２３は、前記筒状本体２０の内部に保持されており、
前記下振り部材２１の下端部２１Ａに対応する位置の前記筒状部材２０には窓部２４が設けられ、
前記窓部２４には、前記下振り部材２１の下端部２１Ａが示す目盛り表示部２７が設けられている、
ことを特徴とする下振り水準器。
【請求項２】
前記ベアリング２３、２３は、ベアリング保持部材２５に保持され、該ベアリング保持部材２５は、上下の方向に分割された二つ割り部材２５Ａ、２５Ａで構成され、夫々に前記ベアリング２３、２３を保持する開口部２５Ｂ、２５Ｂを備えており、両二つ割り部材２５Ａ、２５Ａの内側には、前記下振り部材２１の上端部２１Ｂが枢動するためのスペースＳが形成されていることを特徴とする請求項１の下振り水準器。
【請求項３】
前記下振り部材２１の下端部２１Ａは円弧状部２１Ｃに形成され、該下振り部材２１の幅の中間位置を通り、前記円弧状部２１Ｃに達する表示ライン２６を設けてあることを特徴とする請求項１又は請求項２の下振り水準器。
【考案の詳細な説明】
【技術分野】
【０００１】  本考案は、例えば、パチンコ機を、ホールの島設備に設置するのに際して使用する下振り（さげぶり）水準器に関するものである。
【背景技術】
【０００２】  一般に、遊技場にパチンコ機を設置する場合、島設備の島枠にパチンコ機の外枠を固定し、しかる後にヒンジ金具を固定してパチンコ機本体を固定する。
この際、パチンコ機本体は、遊技盤面を流下する遊技球を所定の確率で入賞させるようにするために、所定の角度で後傾（本体上部が島設備内側に入り込む）させている。一般に多用されているこの種の傾斜角度としては、鉛直線に対して、通常、振り幅は、３分乃至５分５厘の５厘刻みの６段階（尺貫法）である。【０００３】  そして、このようにパチンコ機を所定の角度で後傾させるためには、外枠を島枠に仮止めした状態で、外枠の傾斜状態を検査することが必要であり、その為に、水準器（気泡利用）、錘等（錘ゲージ）の手段が使用され、こうした測定手段については、種々提案されている。【０００４】  そして、外枠の傾斜角度を所定角度とした状態で島枠に固定（釘打ち）するのに、先ず、作業者が外枠の上部を島枠の天板に固定し、下部を手前に引きよせて、この外枠の側部前面に水準器を当て、角度を確認してから台カマチ（島枠）に固定（釘打ち）する。
こうした取り付け作業は、作業員が一人で行うのが普通であり、従って、水準器を当て付けた状態で固定（釘打ち）を行うというわけには行かないもので、一旦、水準器を置いて、ハンマーに持ち替えて釘打ちを行う必要があり、釘打ち途中で傾斜角度が変化してしまうことが多々ある。勿論、外枠を取り付けた後に角度を再確認し、ズレている場合には、当然に固定をし直す必要がある。【０００５】  このようなパチンコ機の島設備に対する取り付けに関わる先行術としては、例えば、次のようなものが提案されている。
【特許文献１】特開２００５−３２９２２５。
【特許文献２】特開２００４−１４７７５２。
【特許文献３】特開平８−１９６５６。
【０００６】  そして、上記水準器については、例えば、次の事例が挙げられる。
【特許文献４】特開２００４−１２１７３６。
【特許文献５】特開２００４−４１３４６。
【特許文献６】特開平１１−７０２６１。
【考案の開示】
【考案が解決しようとする課題】
【０００７】  上記のような従来の水準器としては、殆どが気泡型のものであり、このタイプのものは高価なものである。また、このタイプのものは、複数の角度を示すために、複数の気泡ゲージが本体に取り付けられているものであるが、作業中に落下させたりした場合に、本体との位置ずれを起こして、狂いが生じたり、目盛りが見難くなるという問題もある。【０００８】  これに対して、錘による振り子方式の下振り（さげぶり）水準器も使われてきた。例えば、本願出願人の特願２００８−５１２１２の図９において提案しているように、こうした従来の水準器は、下振りをピンで枢支するだけの簡単な構造のもので、ピン位置の精度が悪い、長期の取り扱いに際してピンが曲がったりする、振り動作のスムースさに欠ける等の問題があった。【０００９】  本考案は、かかる問題点に鑑み、安価な下振り（さげぶり）方式の水準器でありながら、精度の高い測定が可能であり、また、下振り部材の動作もスムースで、長期の使用に耐える下振り水準器を提供することを目的とする。
【課題を解決するための手段】
【００１０】  本考案にかかる下振り水準器は、上記課題を解決するために、請求項１に記載の通り、
パチンコ機の外枠１を、島設備に対して所定の後傾角度で設置するための下振り水準器であって、
前記外枠１の前面１Ａに接当可能な接当面２０Ａを有する横断面略矩形の筒状本体２０と、該筒状本体２０の内部に設けられる下振り部材２１とから成り、
前記下振り部材２１の上部近傍に設けた枢支軸２２が一対のベアリング２３、２３に軸支されており、
該ベアリング２３、２３は、前記筒状本体２０の内部に保持されており、
前記下振り部材２１の下端部２１Ａに対応する位置の前記筒状部材２０には窓部２４が設けられ、
前記窓部２４には、前記下振り部材２１の下端部２１Ａが示す目盛り表示部２７が設けられている、
ことを特徴とする。【００１１】  本考案の下振り水準器は、パチンコ機の設置に必要な傾斜を確保するために開発されたものであるが、水準器を対象物に接当させて用いる使用形態を採るのであれば、他の用途にも転用は可能である。
また、前記筒状本体２０は、横断面略矩形としているが、前記外枠１の前面１Ａに接当可能な接当面２０Ａを有するものであれば、半円形でも、三角形でもよい。
【考案の効果】
【００１２】  本考案によれば、ベアリングによる下振り部材の回動で精度の高い測定がスムースに行い得て、金属製の筒状本体により長期の使用に耐えるところの安価な下振り水準器を提供できるに至った。
本考案のその他の具体的な利点は、以下の説明から明らかとなろう。
【考案を実施するための最良の形態】
【００１３】  本考案の実施に際しては、前記ベアリング２３、２３は、ベアリング保持部材２５に保持され、該ベアリング保持部材２５は、上下の方向に分割された二つ割り部材２５Ａ、２５Ａで構成され、夫々に前記ベアリング２３、２３を保持する開口部２５Ｂ、２５Ｂを備えており、両二つ割り部材２５Ａ、２５Ａの内側には、前記下振り部材２１の上端部２１Ｂが枢動するためのスペースＳが形成されているのが好ましい。【００１４】  このように、ベアリング２３、２３を、上下の方向に分割された二つ割り部材２５Ａ、２５Ａに設けた開口部２５Ｂ、２５Ｂで保持する構造としたことで、全体の組み付け、分解（但し、二つ割り部材２５Ａ、２５Ａを組み付け後に接着した場合は分解不能）が容易である。また、両二つ割り部材２５Ａ、２５Ａの内側には、前記下振り部材２１の上端部２１の回動を許容するスペースＳを形成したことで、前記下振り部材２１の動きを確保できる。
尚、実施例では、前記ベアリング保持部材２５の外形寸法を、前記筒状本体２０の内径寸法に近似させ、上方からカチコミによって勘合させる方法を採っているが、接着剤によって位置固定してもよい。【００１５】  また、前記下振り部材２１の下端部２１Ａは円弧状部２１Ｃに形成され、該下振り部材２１の幅の中間位置を通り、前記円弧状部２１Ｃに達する表示ライン２６を設けてあるのが好ましい。【００１６】  このように、前記下振り部材２１の下端部２１Ａを円弧状部２１Ｃに形成したことで、前記下振り部材２１の下端部２１Ａを鋭利な先端加工にしなくて済み、コスト低減に繋がると供に他物との接触で先端が曲がったり、欠損したりする虞もない。また、表示ライン２６としては、線を描くことで実施できるが、これに代えて、線溝を刻設するようにして形成してもよい。
【実施例】
【００１７】  以下、本考案にかかる下振り水準器の好適実施を説明する。
図１は、下振り水準器の全体の斜視図、図２は、下振り水準器の要部の分解斜視図、図３は、ベアリング保持部材の斜視図、図４は、ベアリング保持部材の分解斜視図、図５は、下振り部材の先端の斜視図、図６は、別態様の下振り部材の先端の斜視図、図７は、パチンコ機を設置するのに用いる設置補助具の補助枠体の全体の前方から見た斜視図、図８は、補助枠体の全体の後方から見た斜視図、図９は、補助枠体の背面図、図１０は、補助枠体の一側面図、図１１は、補助枠体の他側面図、図１２は、外枠を補助枠体に連結した斜視図、図１３は、外枠を島枠に固定するための一工程図、図１４は、外枠を島枠に固定するための一工程図である。【００１８】  この実施例で対象となるパチンコ機は、外枠１の下部に該外枠１の略全体の前面よりも前方に突出した幕板２が突出する状態で一体的に設けられているタイプのものである。
この設置補助具は、前記パチンコ機の外枠１の前面の実質的に全面に接当可能な略矩形の補助枠体３と、前記外枠１と補助枠体３の接当状態で該補助枠体３を前記外枠１に仮止めする二つの連結部材４、ここでは二つのクランプとからと成るものである。このクランプは、図１１にも示すように、手操作でネジを回して緊締を行うことができるもので、それ自体一般に用いられているものである。【００１９】  そして、前記補助枠体３の下部に、前方に突出した前記幕板２に嵌合される段部５を有する前カマチ６が備えられており、且つ、該前カマチ６には、図１０にも示すように、前記外枠１の前記幕板２の上面２Ａに接当する支持部材７、ここでは、アングル材からなる支持部材が設けられている。【００２０】  また、前記補助枠体３は、この実施例では、前記外枠１の前面１Ａに平行な前面３Ａを有する。この構造によって、該補助枠体３の前面３Ａに水準器１１を当てることができ、この水準器１１を見ることで、前記外枠１の傾斜（後傾）をみることとなる。【００２１】  更に、前記補助枠体３の両側部３Ｃ及び天板３Ｄには、アテ棒８、９が含まれ、その裏面８Ａ、９Ａが前記補助枠体３の裏面３Ｂと面一となるように構成されている。このアテ棒８、９は、島枠１０に当て付けられるものであるが、この実施例では、前面に平面が向いた平板状体で構成されており、上記連結部材４（クランプ）に対する十分な止め代となる。【００２２】  上記の構成の設置補助具は、図１２乃至図１４に示すように、次の手順で使用される。
先ず、図１１に示すように、パチンコ機から外された外枠１と前記補助枠体３とを２個の連結部材４（クランプ）を用いて、それらの上部位置で、緊締する。
この際、前記補助枠体３の前カマチ６の段部５は、前記外枠１の幕板２の上面２Ａに乗るようにして嵌合された状態となる。【００２３】  図１２に示すように、この状態の補助枠体３と外枠１とを、島設備の島枠１０の内部に持ち込み、島枠１０の上部に当て付け、その外枠１の上部を、島枠１０の上部に対して、内側から釘打ちして仮止めする。【００２４】  図１３に示すように、この後、前記補助枠体３を、その前カマチ６を把持して手前側に引き寄せ、上部の釘打ち位置を揺動中心として、該補助枠体３と共に外枠１を所定の角度で後傾させることができる。この後傾は、パチンコ機の機種、メーカー指示、遊技場の指示に基づいて決定されるが、３分乃至５分５厘の５厘刻みの６段階（尺貫法）から選択されるのが普通である。
この際、補助枠体３と外枠１とは連結部材４（クランプ）で一体化されているので、その補助枠体３を手前に移動させた場合に、外枠１が全体として手前側に傾斜し、左右方向で異なる傾斜が現れる虞がないのである。
この状態で、前記補助枠体３の前面に水準器１１（気泡タイプ）を当て、所定の角度で傾斜されているどうか確認を行う。【００２５】  次いで、図１４に示すように、前記外枠１の下部を、島枠１０の下部に所定の傾斜角度で釘止めする。しかる後、前記連結装置４のクランプを緩め、前記外枠１から前記補助枠体３を取り外す。そして、前記外枠１にヒンジ金具１３を連結して、そのヒンジ金具１３の他側部をパチンコ機本体に連結する。このようにして、パチンコ機を、島枠１０に対して所定の後傾角度でもって設置、固定するのである。【００２６】  上述した水準器１１として、本願考案では、図１乃至図６に示すよういに、下振り（さげぶり）水準器を提案するものである。
この下振り水準器は、前記外枠１の前面１Ａに接当可能な接当面２０Ａを有する横断面略矩形の金属性の筒状本体２０と、該筒状本体２０の内部に設けられる、金属性の下振り部材２１とから成る。前記筒状本体２０の全長は、４９０ｍｍであるが、好ましくは、４７０ｍｍ乃至５００ｍｍとし、その矩形の断面寸法は、この実施例では、２５ｍｍ×５０ｍｍとしているが、２０ｍｍ×４０ｍｍとしてもよい。【００２７】  前記下振り部材２１の上部近傍に設けた枢支軸２２が一対のベアリング２３、２３に軸支されており、該ベアリング２３、２３は、前記筒状本体２０の内部に保持されている。前記枢支軸２２は、前記下振り部材２１に形成された開口に装入され、上方からネジ３０によって固定される。そして、前記下振り部材２１の下端部２１Ａに対応する位置の前記筒状部材２０には窓部２４が設けられ、前記窓部２４には、前記下振り部材２１の下端部２１Ａが示す目盛り表示部２７が設けられている。
尚、ここでは、前記目盛り表示部２７は、３分乃至５分５厘の５厘刻みの６段階（尺貫法）の線が記されてなるものである。【００２８】  更に、前記ベアリング２３、２３は、図２に示すように、木製のベアリング保持部材２５に保持され、該ベアリング保持部材２５は、図３及び図４に示すように、上下の方向（縦割り）に分割された二つ割り部材２５Ａ、２５Ａで構成され、夫々に前記ベアリング２３、２３を保持する開口部２５Ｂ、２５Ｂを備えており、両二つ割り部材２５Ａ、２５Ａの内側には、前記下振り部材２１の上端部２１Ｂが枢動するためのスペースＳが形成されている。
このベアリング保持部材２５の外形寸法は、前記筒状部材２０の内径寸法に対応し、上方からカチ込み式に勘合できるようにされている。【００２９】  前記下振り部材２１の下端部２１Ａは、図５に示すように、先端が鋭利に形成され、指針となるように構成されている。即ち、その先端が前記目盛り表示部２７の目盛りを指し示すものである。
この下振り部材２１の下端部２１Ａとしては、図６に示すように、円弧状部２１Ｃに形成し、該下振り部材２１の幅の中間位置を通り、前記円弧状部２１Ｃに達する表示ライン２６を設けてようにしてもよい。【００３０】  従って、使用に際しては、前記筒状本体２０の接当面２０Ａを、島設備に仮止した前記外枠１の前面に接当させ、前記下振り部材２１の垂下する傾斜を、前記目盛り表示部２７により読み取る。
これにより、初期の後傾斜が得られているかどうか確認できるのである。
【産業上の利用可能性】
【００３１】  本考案にかかる下振り水準器は、主に、パチンコ機の設置に際しての後傾斜の検出に用い得るが、その他にも、対象物に接当させて行うものであれば、その転用は可能であり、その応用範囲は広い。
【図面の簡単な説明】
【００３２】
【図１】本考案にかかる下振り水準器の全体の斜視図である。
【図２】本考案にかかる下振り水準器の下振り部材の分解斜視図である。
【図３】本考案にかかる下振り水準器のベアリング保持部材の斜視図である。
【図４】本考案にかかる下振り水準器のベアリング保持部材の分解斜視図である。
【図５】本考案にかかる下振り水準器の下振り部材の先端部の拡大斜視図である。
【図６】本考案にかかる下振り水準器の別態様の下振り部材の先端部の拡大斜視図である。
【図７】本考案にかかる下振り水準器を用いるパチンコ機の設置補助具の補助枠体の全体の前方から見た斜視図である。
【図８】本考案にかかる下振り水準器を用いるパチンコ機の設置補助具の補助枠体の全体の後方から見た斜視図である。
【図９】本考案にかかる下振り水準器を用いる補助枠体の背面図である。
【図１０】本考案にかかる下振り水準器を用いる補助枠体の一側面図である。
【図１１】本考案にかかる下振り水準器を用いる補助枠体の他側面図である。
【図１２】本考案にかかる下振り水準器を用いる外枠を補助枠体に連結した斜視図である。
【図１３】本考案にかかる下振り水準器を用いる外枠を島枠に固定するための一工程図である。
【図１４】本考案にかかる下振り水準器を用いる外枠を島枠に固定するための一工程図である。
【符号の説明】
【００３３】１：外枠
１Ａ：外枠の前面
２０：筒状本体
２０Ａ：接当面
２１：下振り部材
２１Ａ：下端部
２１Ｂ：上端部
２１Ｃ：円弧状部
２２：枢支軸
２３：ベアリング
２４：窓部
２５：ベアリング保持部
２５Ａ：二つ割り部材
２５Ｂ：開口部
２６：表示ライン
２７：目盛り表示部
【図１】
0003146115.tif 000003
【図２】
0003146115.tif 000004
【図３】
0003146115.tif 000005
【図４】
0003146115.tif 000006
【図５】
0003146115.tif 000007
【図６】
0003146115.tif 000008
【図７】
0003146115.tif 000009
【図８】
0003146115.tif 000010
【図９】
0003146115.tif 000011
【図１０】
0003146115.tif 000012
【図１１】
0003146115.tif 000013
【図１２】
0003146115.tif 000014
【図１３】
0003146115.tif 000015
【図１４】
0003146115.tif 000016